(57)【要約】【課題】２つ以上の電子装置を格納するための筐体。筐体は、支持表面と並置されている後部表面を有するフレームと、フレーム内で支持されているラックであって、電子装置を受け入れるための少なくとも１つのスロットを有するラックと、フレームにより支持され、ほぼ垂直な軸の周りを、後部表面に実質的に直交している閉じた位置と、後部表面と実質的に平面をなす開いた位置の間で回転可能であり、開いた位置のときは、スロットを、筐体の側面を通してアクセス可能なドアを含んでいる。【選択図】図６
2016519359.tif 000002
【特許請求の範囲】
【請求項１】
２つ以上の電子装置を格納するための筐体であって、
支持表面と並置されている後部表面を有するフレームと、
前記フレーム内で支持されているラックであって、電子装置を受け入れるための少なくとも１つのスロットを有するラックと、
前記フレームにより支持され、ほぼ垂直な軸の周りを、前記後部表面に実質的に直交している閉じた位置と、前記後部表面と実質的に平面をなす開いた位置の間で回転可能なドアであって、前記開いた位置のときは、前記スロットを、前記筐体の側面を通してアクセス可能なドアと、
を備えている、ことを特徴とする筐体。
【請求項２】
前記ドアと前記ラックに接続されている結合器であって、
前記ドアが閉じられるときは、前記後部表面に平行な平面において実質的に直線状に移動する前記ラックを前記筐体内に退避させ、
前記ドアが開かれるときは、前記ラックの少なくとも一部分を前記筐体から引き出す、
ように構成されている結合器、
を備えている、ことを特徴とする請求項１に記載の筐体。
【請求項３】
２つ以上のスロットであって、少なくとも部分的には重なっているスロットを含んでいる、ことを特徴とする請求項１および２の何れかに記載の筐体。
【請求項４】
前記少なくとも１つのスロットは、ほぼ側面方向から装置を受け入れるように構成されている、ことを特徴とする請求項１から３の何れかに記載の筐体。
【請求項５】
前記少なくとも１つのスロットへのアクセスは、側面からのアクセス以外は阻止される、ことを特徴とする請求項１から４の何れかに記載の筐体。
【請求項６】
前記１つ以上の電子装置は、前記ドアが前記閉じた位置のときは、前記筐体内に保管可能である、ことを特徴とする請求項１から５の何れかに記載の筐体。
【請求項７】
前記ドアは、ほぼ垂直な軸の周りを回転し、
前記ドアが、前記ほぼ垂直な軸の周りで回転されるときは、前記筐体の前部により画定される平面を壊さないように構成されている、
ことを特徴とする請求項１から６の何れかに記載の筐体。
【請求項８】
前記ドアは、
閉じられたときに前記筐体の側面を形成し、
前記ほぼ垂直な軸の周りを、完全に開いた位置まで回転されるときに、前記筐体を支持する表面に平行になるような形状にされている、
ことを特徴とする請求項１から７の何れかに記載の筐体。
【請求項９】
前記スロットの１つ以上に配置されている１つ以上のコネクタであって、１つ以上の格納されている電子装置を、電力供給システムおよび／またはネットワーク接続システムに接続するためのコネクタを更に含んでいる、
ことを特徴とする請求項１から８の何れかに記載の筐体。
【請求項１０】
前記１つ以上のコネクタは、ピグテール接続コネクタを含んでいる、ことを特徴とする請求項９に記載の筐体。
【請求項１１】
前記１つ以上のコネクタは、ドッキングステーションの一部である、ことを特徴とする請求項９に記載の筐体。
【請求項１２】
前記ドッキングステーションコネクタは、電子装置が、前記格納および接続位置に位置されるときに、自動的に前記電子装置に接続するように構成されている、ことを特徴とする請求項１１に記載の筐体。
【請求項１３】
２つ以上の電子装置を格納するための筐体であって、
支持表面と並置されている後部表面を有するフレームと、
前記フレーム内で支持されているラックであって、筐体のドアが、前記開いた位置のときに、前記筐体の側面を通してアクセス可能な、電子装置を受け入れるための少なくとも１つのスロットを有するラックと、
前記少なくとも１つのスロットの１つ以上において配置されている１つ以上のコネクタであって、１つ以上の格納されている電子装置を、電力供給システムおよび／またはネットワーク接続システムに接続するためのコネクタと、
を備えている、ことを特徴とする筐体。
【請求項１４】
前記１つ以上のコネクタは、ピグテール接続コネクタを含んでいる、ことを特徴とする請求項１３に記載の筐体。
【請求項１５】
前記１つ以上のコネクタは、ドッキングステーションの一部である、ことを特徴とする請求項１３および１４の何れかに記載の筐体。
【請求項１６】
前記ドッキングステーションコネクタは、電子装置が、前記格納および接続位置に位置されるときに、自動的に前記電子装置に接続するように構成されている、ことを特徴とする請求項１５に記載の筐体。
【請求項１７】
前記ドアは、前記フレームにより支持され、
ほぼ垂直な軸の周りを、前記後部表面に実質的に直交している閉じた位置と、前記後部表面と実質的に平面をなす開いた位置の間で回転可能である、
ことを特徴とする請求項１３から１６の何れかに記載の筐体。
【請求項１８】
前記ドアと前記ラックに接続されている結合器であって、
前記ドアが閉じられるときは、前記後部表面に平行な平面において実質的に直線状に移動する前記ラックを前記筐体内に退避させ、
前記ドアが開かれるときは、前記ラックの少なくとも一部分を前記筐体から引き出す、
ように構成されている結合器を更に備えている、
ことを特徴とする請求項１７に記載の筐体。
【請求項１９】
２つ以上のスロットであって、少なくとも部分的には重なっているスロットを含んでいる、ことを特徴とする請求項１３から１８の何れかに記載の筐体。
【請求項２０】
前記少なくとも１つのスロットは、ほぼ側面方向から装置を受け入れるように構成されている、ことを特徴とする請求項１３から１９の何れかに記載の筐体。
【発明の詳細な説明】
【技術分野】
【０００１】
本筐体は、一般的には、移動電子装置を格納およびネットワーク接続するための筐体に関する。
【背景技術】
【０００２】
本出願は、２０１３年３月１３日に出願された米国仮特許出願番号第６１／７７８，７００号の利益の優先権を主張するものであり、ここにおいてその全体が参考として組み込まれる。
タブレットコンピューティング装置のような移動電子装置は、タッチスクリーンディスプレイを含んでいる、一般的に平坦で軽量な装置である。
例としては、Ａｐｐｌｅ  ｉＰａｄ、Ｋｉｎｄｌｅ  Ｆｉｒｅ、Ｍｏｔｏｒｏｌａ  Ｘｏｏｍ、Ｓａｍｓｕｎｇ  Ｇａｌａｘｙ、Ｂｌａｃｋｂｅｒｒｙ  Ｐｌａｙｂｏｏｋ、ＬＧ  Ｏｐｔｉｍｕｓ  Ｐａｄ、Ｄｅｌｌ  Ｓｔｒｅａｋ、ＨＰ  ＴｏｕｃｈＰａｄ、ＨＴＣ  Ｆｌｙｅｒ、およびＶｉｅｗｓｏｎｉｃ  ＶｉｅｗＰａｄがある。
一般的に、タブレットは、長方形の形状因子を有しており、従来のラップトップまたはデスクトップのコンピュータモニタよりも小さいが、スマートフォンのような、より小型の電子装置よりも大きいと考えることができる。
例えば、幾つかの場合においては、タブレットは長さが約２０ｃｍ〜約３０ｃｍ、高さが約１０ｃｍ〜約２０ｃｍ、そして、厚さは約１ｃｍ以下であり、重さは、約４００ｇ〜約１ｋｇの間である。
タブレットはまた、一般的に、約１５ｃｍと約２５ｃｍの間のスクリーンサイズのディスプレイパネル（例えば、ＬＣＤまたはＴＦＴ）を有しており、フロントおよび／またはリアカメラ、ワイヤまたはケーブルコネクタ（例えば、専有のＨＤＭＩ、ＵＳＢ、オーディオ、充電／電力など）、およびワイヤレスネットワーク接続（例えば、３Ｇ／４Ｇ、Ｗｉ−Ｆｉ）のような多様な他の機能を含むことができる。
タブレットはまた、現在では、約５００ＭＢと約１ＧＢの間のＲＡＭと、約１６ＧＢと約６４ＧＢの間の記憶装置を有することもできる。
【０００３】
典型的なタブレット１０が、図１、２においてオプションとしての折り重ねカバー１２と共に描かれている。
図示のように、タブレット１０は、如何なる数のタブレットポート１４も有することが可能であり、タブレットポート１４は、電力ポート１６、ＵＳＢポート１８、ネットワークポート２０、入／出力オーディオポート２２、ビデオポート２４、および専有ポート２６を含むことが可能である。
【０００４】
タブレットは一般的に長方形の形状にされていることを考慮すると、タブレットは、図１に図示のように、正面から見ると典型的な対称である。
端部から見ると、図２に図示のように、中心線２８に関して対称形状にされていないタブレットもある。
示されている例においては、前部面３０は、背部プレート３２よりもわずかに広く、非対称特徴３４という結果になる。
タブレットはまた、多数の他の非対称特徴を有することも可能で、図２に図示のように、端部から見たときに、タブレット３２の背部プレート３２から前部面３０を区別することもできる。
そのような非対称特徴は、斜めに切断された１つ以上のエッジの形状であることが可能であり、他のエッジよりも大きな半径を有する１つ以上のエッジの形状であることが可能であり、または、タブレットを端部から見たときに、前部を背部から区別するための任意の他の非対称特徴の形状であることが可能である。
【０００５】
タブレットのユーザーは、自身のタブレットを、図１に描かれているようなタブレットカバー１２でカバーすることを選択することがよくある。
理解できるように、タブレットカバーは、タブレットを、ほこり、擦り傷、引っ掻き傷などから保護することが可能であるが、タブレットカバーはまた、タブレットの全体の外側の直線寸法も変えてしまう可能性もある。
更に、タブレットは、非対称特徴を有することが可能なので、カバーを追加すると、そのような非対称特徴を、タブレットの前部面を、背部プレートから区別するために不適切なものにする可能性があり、また、そのような区別のために使用することをできなくする可能性がある。
【０００６】
他の電子装置としては、携帯電話、スマートフォン、ミュージックプレーヤー（例えば、ｍｐ３プレーヤー）、およびカメラがある。
【発明の概要】
【０００７】
１つ以上の電子装置を格納および／または保管するように構成されている筐体の実施の形態が開示される。
筐体の１つ以上の実施の形態は、電子装置を受け入れるための少なくとも１つのスロット有している１つ以上のラックを含んでいる。
各ラックおよび／またはスロットは、１つ以上の装置を格納するための筐体に、または筐体内に、１つ以上の装置を受け入れるように構成可能である。
幾つかの実施の形態においては、ラックおよび／またはスロットは、ほぼ側面方向から装置を受け入れるように構成されている。
幾つかの実施の形態においては、スロットへのアクセスは、側面側からのアクセス以外は阻止される。
例えば、筐体、ラック、および／またはスロットは、上部、底部、前部、および背部、そして、右側または左側からのアクセスを阻止できるが、右側および左側両方からのアクセスを阻止するものではない。
【０００８】
筐体のある実施の形態は、閉じた位置と開いた位置の間で作動可能な１つ以上のドアを含んでいる。
１つ以上のドアが閉じた位置のときは、１つ以上の装置は筐体により保管可能である。
幾つかの実施の形態においては、ドアは、ほぼ垂直な軸の周りを回転し、ほぼ垂直な軸の周りを回転するときに、筐体の前部により画定される平面を壊さないように構成されている。
ある実施の形態においては、ドアは、閉じられたときに筐体の側面を形成し、ほぼ垂直な軸の周りを完全に開いた位置まで回転されたときに、筐体を支持する表面に平行になるような形状とされている。
そのようなドアは、筐体から内側に向けて空いている場所に揺動するドアと比較して、空いている場所内に空間を確保するために有益である。
【０００９】
ある実施の形態においては、筐体は、ドアの少なくとも１つと、ラックの少なくとも１つに連結または接続されている少なくとも１つの結合器を含んでいる。
各結合器は、結合器に連結されているドアが閉じられたときに、結合器と連結されているラックを退避させ、結合器と連結されているドアが開かれたときに、筐体から、結合器に連結されているラックの少なくとも一部分を引き出すように構成可能である。
ラックの動きは、直線的で、筐体を支持する表面に平行な平面内であることが可能である。
そのような実施の形態においては、ラックは、ドアが開かれたときに、筐体から外側へ向けて延伸して、格納されている装置への、より良好なアクセスのし易さを提供することが可能である。
【００１０】
これらの、および種々の他の特徴と利点は、下記の詳細な記述を読むことで明白となろう。
【図面の簡単な説明】
【００１１】
下記の図面は、発明の特別な実施の形態を例示するものであり、従って、発明の範囲を制限するものではない。
図面は、必ずしも一定の比率で拡大／縮小されたものであるわけではなく（そのように明記されない限り）、下記の詳細な記述における説明と連携して使用されるように意図されている。
発明の実施の形態が、類似の数字は類似の要素を表している、付随する図面と連携して以下に記述される。
【００１２】
【図１】タブレットとタブレットカバーの正面図である。
【図２】図１のタブレットの端面図である。
【図３】実施の形態による電子装置格納筐体の正面透視図である。
【図４】図３の筐体の正面図である。
【図５】開いたドアと、筐体から延伸している電子装置と一緒に、図４の筐体を例示している。
【図６】前部カバーを除去した、図５の筐体の正面透視図である。
【図７】図６の筐体の部分的正面透視図である。
【図８】図６の筐体の底部における内部の部分的側面図である。
【図９】図６の筐体の上部における内部の部分的側面図である。
【図１０】実施の形態による電子装置ラックの正面透視図である。
【図１１】実施の形態によるコネクタを有するスロットの、正面透視切断図である。
【図１２】実施の形態によるコネクタを有するスロットの、正面透視切断図である。
【図１３】実施の形態によるコネクタを有するスロットの、正面透視切断図である。
【図１４Ａ】実施の形態によるコネクタを有するスロットの、正面透視切断図である。
【図１４Ｂ】実施の形態によるコネクタを有する格納スロットの、上部正面透視切断図である。
【図１５Ａ】実施の形態による電気ブロック図である。
【図１５Ｂ】実施の形態による電気ブロック図である。
【図１５Ｃ】実施の形態による電気ブロック図である。
【図１５Ｄ】実施の形態による電気ブロック図である。
【図１６Ａ】実施の形態によるネットワークブロック図である。
【図１６Ｂ】実施の形態によるネットワークブロック図である。
【図１６Ｃ】実施の形態によるネットワークブロック図である。
【図１６Ｄ】実施の形態によるネットワークブロック図である。
【発明を実施するための形態】
【００１３】
下記の詳細な記述は、本質的に例示的なものであり、如何なる意味においても発明の範囲、適用性、または構成を制限するようには意図されていない。
むしろ、下記の記述は、本発明の例示的な実施の形態を実現するための幾つかの実際的な例示を提供する。
構築、材料、寸法、および製造工程の例は、選択された要素に対して提供され、他のすべての要素は、発明の分野における通常の技量を有する者には知られているものを採用している。
当業者であれば、記述された例の多くが、多様な適切な代替を有していることを認識するであろう。
【００１４】
ここで記述される実施の形態は、タブレットのような、１つ以上の電子装置を格納および／または充電および／またはネットワーク接続するためのシステム、装置、および方法を提供する。
幾つかの実施の形態は、１つ以上の電子装置を格納、充電、および／またはネットワーク接続するための１つ以上の電子装置ラックを有している電子装置格納筐体を提供する。
幾つかの実施の形態においては、筐体は、固定支持表面のような別の表面と並列、またはそこに取り付けられるように適合されている後部表面を有するフレームを含んでいる。
そのような固定表面の例としては、壁、柱の表面を含む垂直表面、水平表面、および他の角度の表面を挙げることが可能である。
【００１５】
幾つかの実施の形態においては、筐体は、少なくとも１つの電子装置を保持するように適合されている１つ以上のスロットを有する１つ以上の電子装置ラックを含むことが可能である。
幾つかの実施の形態においては、筐体、ラック、および／またはスロットは、側面方向（つまり、左または右側のみのような、左または右側）からスロットへのアクセスを可能にするように構成されている。
各ラックは、所望するだけの数の電子装置を保持するように構成可能である。
例えば、幾つかの場合においては、各ラックは、１つ、１０、２０、３０、５０、または任意の数の電子装置を保持することができる。
ある実施の形態においては、筐体は、省空間構成を有するドアのような、１つ以上のドアを有している。
【００１６】
ある実施の形態においては、電子装置ラックは、格納ラックのスロットに置かれた１つ以上の電子装置を格納および保管するために、筐体内部に退避させることが可能であり、各電子装置ラックの少なくとも一部分は、電子装置にアクセスするために、筐体から延伸させることが可能である。
【００１７】
図３〜図６は、使用の異なる段階における、電子装置格納筐体１００の種々の図を例示している。
図示のように、筐体１００は、１つ以上の電子装置１０４を収納するための、予め画定された厚さを有するフレーム１０２を含むことが可能である。
筐体１００はまた、電子装置１０４を筐体１００に退避させ、または電子装置１０４を筐体１００から引き出すことが可能な１つ以上のドア１０６も含むことが可能である。
図示のように、幾つかの実施の形態においては、ドアは、ほぼ垂直な軸の周りを回転し、ほぼ垂直な軸の周りを回転するときに、筐体の前部により画定される平面を壊さないように構成されている。
ある実施の形態においては、ドアは、閉じられたときに筐体の側面を形成し、ほぼ垂直な軸の周りを完全に開いた位置まで回転されたときに、筐体を支持する表面に平行になるような形状とされている。
そのようなドアは、筐体から内側に向けて空いている場所に揺動するドアと比較して、空いている場所内に空間を確保するために有益である。
【００１８】
図３〜図６（および図７〜図９もまた）に例示されている実施の形態においては、電子装置１０４は、筐体１００の左および右側の両方から退避または引き出すことが可能である。
筐体１００はまた、電子装置１０４を、筐体１００の２つの側の１つのみから退避または引き出すように構成することも可能である。
筐体１００の非限定的な例としての実施の形態においては、１つ以上のドア１０６それぞれの、少なくとも１つの縦方向に延伸しているエッジは、筐体１００のフレーム１０２の後部の対応する縦方向に延伸しているエッジに沿う、垂直軸の周りの回転運動に対して構成または適合されている。
そのような実施の形態においては、ドアが開かれたとき、ドアは筐体の後部と整列し、筐体を支持している支持表面に平行となり、それにより、筐体の内部へのアクセスを可能とする。
幾つかの実施の形態においては、筐体は、フレームにより支持され、ほぼ垂直な軸の周りを、フレームの後部表面に実質的に直交している閉じた位置と、後部表面と実質的に平面をなす開いた位置の間で回転可能なドアを含んでいる。
【００１９】
幾つかの実施の形態においては、１つ以上のドア１０６のそれぞれは、ドア１０６をロックし、電子装置１０４を筐体１００内に保管するための、対応する（または連結された）ドアロック１０８を有することが可能である。
【００２０】
図示のように、筐体１００のある実施の形態は、格納されている電子装置１０４の冷却を促進するために、筐体１００を通しての十分な空気の循環を促進するためのオプションとしての通気孔１１２を有する前部カバー１１０を含むことが可能である。
非限定的な例としての実施の形態においては、前部カバー１１０は、図６に例示されているように、スライドさせて除去可能であり、それにより、図１１〜１４Ｂを参照して、下記に、より詳細に記述されるように、筐体１００の内部において、装置と構成要素、例えば、配線、コネクタ等へのアクセスを提供する。
ある実施の形態においては、前部カバー１１０はロック付き、またはロック無しのドアを含むことが可能である。
幾つかの実施の形態においては、筐体１００は、前部カバーを介してアクセス可能な前部区画１１４を含むことが可能であり、これは下記に、より詳細に記述される。
【００２１】
筐体１００のある実施の形態は、前部パネル１２０上に、ライト１１６および／または１つ以上のライト群１１８を含んでいる。
ある実施の形態においては、ライト１１６は、筐体１００から延伸している電力ケーブル１２２が、筐体１００内の構成要素と装置に電力を供給しているか否かを示すために使用可能である。
幾つかの実施の形態においては、１つ以上のライト群１１８における各ライトは、電子装置格納ラックのスロットの１つと連結することが可能である。
そのため、各ライトは、どのスロットがその中に置かれた電子装置を有しているか、およびそれらの電子装置のどれが充電中および／または完全に充電されているかを示すために使用可能である。
【００２２】
図３〜図６に示されているように、筐体１００は、電子装置１０４を受け入れるように構成されている複数のスロット１３０を有するラック１２４を含むことが可能である。
幾つかの実施の形態においては、ラックおよび／またはスロットは、装置を、ほぼ側面方向から受け入れるように構成されている。
幾つかの実施の形態においては、スロットへのアクセスは、側面側からのアクセス以外は阻止される。
例えば、筐体、ラック、またはスロットは、上部、底部、前部、および背部、および右側または左側からのアクセスを阻止できるが、右側と左側からのアクセスの両方は阻止できない。
【００２３】
幾つかの実施の形態においては、ドアとラックを一緒に結合して、ラック内に格納されている電子装置を、容易にアクセス可能な位置に置くことが可能である。
簡潔性のために、ドア１０６と電子装置ラック１２４の一対のセットのみの実施の形態の構成と動作を、下記に図７〜９を参照して記述する。
発明の実施の形態に従えば、筐体１００は、ラック１２４と、対応するドア１０６の結合された動きを促進するための結合器１２６を含んでいる。
図７〜９は、記述されている構成要素の小さな部分または区部のみを例示していることに注意されたい。
例えば、図７は、正面から見たときの、筐体１００の底部左隅の部分の部分的透視図である。
図８は、筐体１００の側面から見たときの、筐体１００の底部区部の部分の断面図である。
そして、図９は、筐体１００の側面から見たときの、筐体１００の上部区部の部分の断面図である。
【００２４】
図７は、結合器１２６の実施の形態を例示している。
例示されているように、結合器１２６は、細長い連接棒１３２を含んでおり、連接棒１３２は、回転の中心１３４の周りの回転運動のために、その第１端部においてラック１２４に接続され、回転の中心１３６の周りの回転運動のために、その第２端部においてドア１０６に接続されている。
幾つかの実施の形態においては、ラックは、筐体フレームの後部表面に平行な平面において、実質的に直線状に移動する。
例えば、ラック１２４は、その後部区部１４０に近接している、縦方向に延伸している溝１３８を含むことが可能であり、嵌め合わせ隆起部１４２は、筐体１００の内部に沿って縦方向に延伸している。
縦方向に延伸している溝１３８と、縦方向に延伸している隆起部１４２は、嵌め合わせ構成要素として構成されており、それぞれの輪郭は実質的に類似している。
そのため、溝１３８と隆起部１４２の組み合わせは、溝１３８が隆起部１４２の上に置かれて、隆起部１４２を跨いでいるときは、ラック１２４の縦方向の動きのガイドとして機能する。
溝１３８と隆起部１４２の組み合わせは、ラック１２４を縦方向の動きのみに限定する。
縦方向に延伸している蝶番１４４は、筐体１００のフレーム１０２とドア１０６を、それぞれのエッジの少なくとも１つ沿って互いに回転可能に結合する。
そのため、筐体１００（またはフレーム１０２）に対して、ドア１０６は、参照番号１４６で示されている矢印の方向において、蝶番１４４の軸の周りを回転可能であり、それにより、筐体１００の対応する側面を開閉する。
【００２５】
示されている実施の形態においては、嵌め合わせ溝１３８と隆起部１４２と組み合わせられた結合器１２６は、ドア１０６の回転運動が、参照番号１４８により示されている矢印の方向において、ラック１２４の縦方向の動きを与える構成を画定している。
例として、図７に例示されているように、筐体１００の対応する側面を開くためのドア１０６の時計回りの回転は、連接棒１３２を通して、引っ張り力をラック１２４に与え、それにより、ラック１２４は、筐体１００から引き出される。
反対に、筐体１００の対応する側面を閉じるためのドア１０６の反時計回りの回転は、連接棒１３２を通して、押す力をラック１２４に与え、それにより、ラック１２４は、筐体１００内に退避される。
従って、ラック１２４が、ラック１２４のスロット１３０に置かれた１つ以上の電子装置１０４を含んでいるときは、ドア１０６の時計回りの回転は、ラック１２４のスロット１３０にあるタブレット１０４を、筐体１００から引き出すということが分かる。
反対に、ドア１０６の反時計回りの回転は、ラック１２４のスロット１３０にある電子装置１０４を筐体１００内に押し込み、この段階では、ロック１０８を、ドア１０６を筐体１００に固定するために使用可能であり、それにより、筐体１００内部にある電子装置１０４へのアクセスを拒絶する。
【００２６】
図７と図８においては例示されていないが、ラック１２４は、筐体１００内への縦方向の動きと、筐体１００からの縦方向の動きの両者の間、および／または筐体１００内および／または筐体１００の外側に静止しているときに、安定性と支持を提供するための１つ以上の追加的構成を含むことが可能である。
例えば、非限定的な例としての実施の形態においては、ラック１２４は、嵌め合わせ溝と隆起部の追加的な対および／または従来技術において良く知られているローラーレールシステムを含むことが可能である。
筐体１００の幾つかの実施の形態においては、１つ以上のそのような追加的、または代替の構成を、ラック１２４の前部区部（後部区部１４０の反対側）に近接させることが可能である。
【００２７】
少なくともその一部分が図８に例示されているラック１２４とスロット１３０の実施の形態は、下記に、より詳細に記述される。
図８はまた、前部区画１１４の内部空間１５２内に収納されている構成要素１５０の幾つかも例示している。
電力システム、電気装置、バッテリ充電システム、ネットワーク接続性構成要素などのような典型的な構成要素１５０もまた、下記に、より詳細に記述される。
もちろん、構成要素１５０の幾つか、またはすべてもまた、電子装置１０４のように、筐体１００の同じ内部空間内に収納することも可能である。
【００２８】
図８と図９に例示されているように、ラック１２４は、後部面の周囲を画定している後部フレーム１５４を含むことが可能である。
筐体１００の幾つかの実施の形態においては、ラック１２４の後部区部１４０のエッジは、ラック１２４から、この場合は、上方に延伸している後部フレーム１５４の底部エッジまたは側面（図示せず）を画定している。
追加的に、または代替として、筐体１００の幾つかの実施の形態は、前部面の周囲を画定している前部フレーム１５６を含むことが可能である。
筐体１００の例示されている実施の形態においては、前部区部（後部区部１４０の反対側）のエッジは、ラック１２４から、この場合は上方へ延伸している前部フレーム１５６の底部エッジまたは側面（図示せず）を画定している。
このため、前部フレーム１５６および／または後部フレーム１５４はそれぞれ、ラック１２４の周囲に沿う支持を提供可能である。
【００２９】
ラック１２４は、前部フレーム１５６および／または後部フレーム１５４それぞれの底部エッジ（または側面）に沿って、少なくともある程度の支持および安定性を提供可能であるということは理解されよう。
筐体１００の幾つかの実施の形態においては、ラック１２４によってのみ与えられるそのような支持と安定性は、十分であることが可能であり、追加的な支持および／または安定性は、有益とはなり得ない。
しかし、筐体１００のある実施の形態においては、ラック１２４および／または前部フレーム１５６および／または後部フレーム１５４それぞれに対して、追加的な支持を提供することは有益であり得る。
その目的のため、図８と９は、筐体１００内に１つ以上の追加的支持体１５８を有している筐体１００の実施の形態を例示している。
筐体１００の幾つかの実施の形態においては、１つ以上の支持体１５８が、前部カバー１１０および／または後部パネル１６０の内部表面上に位置することが可能である。
筐体１００のある実施の形態においては、１つ以上の支持体１５８は、嵌め合わせ溝と隆起部（例えば、１３８と１４２）の対、ローラーレールシステム、対向チャネルの係合された対、または、列挙されたものの１つ以上の組み合わせを含む、任意の他の適用が適切な構成要素および／またはシステムであることが可能である。
【００３０】
図７は、ドア１０６の底部をラック１２４に作動的に取り付け、または接続している結合器１２６を例示しているが、結合器１２６は常にこのようである必要はない。
例えば、筐体１００の非限定的な例としての実施の形態においては、結合器１２６は、筐体１００の上部において、ドア１０６とラック１２４に作動的に取り付け、または接続可能である。
幾つかの実施の形態においては、結合器１２６は、筐体１００の上部および底部の両者において、ドア１０６とラック１２４に作動的に取り付け、または接続可能である。
幾つかの実施の形態においては、結合器１２６は、ドア１０６と、前部および後部フレーム１５６と１５４の何れか、またはその両者に作動的に取り付け、または接続可能である。
ある実施の形態においては、ドア１０６と、前部および／または後部フレームの間のそのような取付けまたは接続は、上部および／または底部において、および／または上部と底部の間の任意の位置において可能である。
【００３１】
図１０は、５つのスロット１３０を含むフレーム１６２を有しているラック１２４の実施の形態を描いている。図示のように、スロット１３０は、電子装置１０４が、実質的に垂直な向きに格納可能なように、ラック１２４において実質的に垂直な向きに配置可能である。また、図示のように、スロットは、少なくとも部分的には重なり合うことが可能である。
スロット１３０は、電子装置１０４をそのようなほぼ垂直な向きに保持するために有益である任意の形状を含むことが可能であり、そのような保持は、電子装置１０４を、４つのエッジ（電子装置のスクリーンを見たときの、上部、底部、左側、および右側のエッジ）の１つの上に保持することを含むことが可能である。
電子装置１０４はまた、垂直に対してわずかな角度で保持することも可能であり、その角度は、垂直から約１０度〜約３０度の範囲で可能である。
各スロットは、電子装置を挿入または除去するために、１つの側面において開いていることが可能である。
【００３２】
上記で触れたように、幾つかの実施の形態においては、１つ以上の格納されている電子装置１０４を、電力供給システムおよび／またはネットワーク接続システムに接続するために有益なコネクタは、スロット１３０の１つ以上に配置可能である。そのようなコネクタは、ここで記述される実施の形態の１つまたはすべてに適用可能である。
図１１〜図１４Ｂは、幾つかの実施の形態による、種々のコネクタ構成を有する幾つかの格納スロット１３０の透視切断図を提供する。
幾つかの場合においては、コネクタは図１１〜図１３に示されているようなピグテール接続コネクタ１６４であることが可能で、または図１４Ａと１４Ｂに示されているような、ドッキングステーション１６８の一部であるコネクタ１６６であることが可能である。
コネクタ１６４と１６６のそれぞれは、電子装置１０４が格納されて接続されたときに、連結されている電子装置１０４を、例えば、筐体の電力供給システムおよび／またはネットワーク接続システムに接続可能である。
【００３３】
ドッキングステーション１６８を使用する実施の形態においては、ドッキングステーションコネクタ１６６は、電子装置が格納および接続位置に位置しているときに（例えば、押し込められて）、自動的に電子装置１０４に接続する。
幾つかの実施の形態においては、スロット１３０内のコネクタは、下記に、より詳細に検討されるように、格納および接続スロット１３０の１つの側面に位置することが可能である。
更に、幾つかの場合においては、コネクタは、格納スロット１３０内に位置しているトレー形状のドッキングステーション内に統合できる。
【００３４】
ピグテール接続コネクタ１６４を使用する幾つかの実施の形態においては、個々の格納および接続スロット１３０は、幾つかの場合においては、特別な電子装置タイプに関しての、コネクタ自身の互換性に応じて、電子装置の２つ以上のタイプ（例えば、ブランドおよび／またはモデル）により使用できる。
ドッキングステーションコネクタ１６６を使用する幾つかの実施の形態においては、ドッキングステーションコネクタ１６６と共にドッキングステーション１６８は、オプションとして取り外し可能であってもよく、それにより、それらを取り外して、別のタイプの電子装置との使用に適合されている構成とドッキングステーションコネクタ１６６を有する別のドッキングステーション１６８と置換可能である。
同様に、専有のコネクタとピン配列に適合されているピグテール接続コネクタ１６４は取り外し可能であり、別のタイプの電子装置、または多様な電子装置タイプと互換性のあるコネクタとの使用に適合されている別のピグテール接続コネクタ１６４と置換可能である。
【００３５】
図１１〜図１４Ｂを参照して記述を継続すると、スロット１３０は一般的に前部壁（図示せず）、背部壁１７０、および基部壁１７２を含んでおり、少なくとも１つの側面においてアクセスのために開いている。説明の目的のために、何れのスロット１３０に対しても前部壁は、図１１〜図１４Ｂにおいては図示されていない。
【００３６】
幾つかの実施の形態においては、スロット１３０の前部壁は、電子装置１０４が格納されたときに、電子装置１０４の少なくとも一部分において重なるために、隣接するスロット１３０の前部壁と重なる構成であることが可能である。
この構成は、ラック１２４の垂直方向の占有面積を削減可能である。
幾つかの実施の形態においては、前部壁は、背部壁１７０から１０〜３５度の角度で傾斜可能である。
【００３７】
ドッキングステーション１６８を使用する実施の形態に対しては、スロット１３０は、電子装置を自動的にスロット内に導き、および、電子装置ポート１７４を、ドッキングステーションコネクタ１６６と係合させるように整列させるために有益な任意の形状を含むことが可能である。
ドッキングステーションコネクタ１６６は、高伝導性材料でコーティングが可能であり、相対的に厚いコーティング（例えば、５０マイクロインチ（約０．００１２７ｍｍ）の金）で塗布して、繰り返される挿入と引出しによる摩耗から保護することが可能である。
適切なスロットの幾何学的配置を決めるときは、電子装置の任意の非対称な特徴３４を考慮することは、ポート１７４が、ドッキングステーションコネクタ１６６と正しく係合することを確実にするためには有益とすることが可能である。
【００３８】
図１１〜図１４Ｂは、スロット１３０内のピグテール接続コネクタ１６４とドッキングステーションコネクタ１６６の種々の実施の形態を示している。
幾つかの実施の形態においては、図１１〜図１３に描かれているように、ピグテール接続コネクタ１６４を使用可能である。
図１３に図示のように、ピグテール接続コネクタ１６４は、基部壁１７２を通してスロット１３０に入り込むことが可能である。
そのような構成においては、ライザー（蹴込み部）１７６を設けて、電子装置の重量が、コネクタの背部から出ているワイヤにかからないようにすることは、重量がかかると、結果的にピグテール内においてワイヤの破損に繋がることもあるので、望ましいことである得る。
【００３９】
幾つかの実施の形態においては、ドッキングステーションコネクタ１６６は、スロット１３０の最も内側の側面の１つに位置することができる。
そのような実施の形態においては、図１４Ａに描かれているように、電子装置１０４の格納と接続は、電子装置１０４をスロット１３０に配置して、ポート１７４をドッキングコネクタ１６６と係合させるために電子装置を左にスライドさせることが必要となる。
ここでも再び、ドッキングステーション１６８を利用する他の実施の形態と同様に、スロット１３０は、ポート１７４がドッキングステーションコネクタ１６６と係合するように、自動的に電子装置１０４を適切に整列するように導くために有益な任意の形状を含むことが可能である。
この実施の形態の場合においては、スロットの形状は、電子装置１０４が左に動かされたときに、ポート１７４がドッキングステーションコネクタ１６６と係合するように適合されなければならない。
もちろん、電子装置１０４が右に動かされたときに、ポート１７４がドッキングステーションコネクタ１６６と係合するような別の実施の形態も、同様に明白である。
特別な物理的構成に拘わらず、幾つかの場合においては、格納筐体１００は、複数の電子装置１０４を、格納されたときに充電するための電力供給システムを含むことが可能である。
【００４０】
図１５Ａ〜図１５Ｄは、ここで検討される実施の形態の何れにも含めることが可能な幾つかの可能な電力供給システムの実施の形態を例示している。
電力供給システムは、電子装置のバッテリを充電するために有益であり、下記に検討するワイヤレスアクセスポイントまたは有線ルーターのようなネットワーク接続性機器に電力を供給するために使用することも可能である。
幾つかの場合においては、電力供給システムは、筐体１００の内部に位置しており、ユーザーは容易にはアクセスできない。
【００４１】
幾つかの実施の形態においては、図１５Ａのブロック図に描かれているように、電力供給システムは、電力ケーブル１２２と、筐体１００から壁コンセントに延伸している壁プラグ１７８を含むことが可能である。電力供給システムのそのような実施の形態は、ここで検討される筐体の実施の形態の何れにも含めることが可能である。
幾つかの実施の形態においては、図１５Ｂのブロック図に描かれているように、電力供給システムは、筐体１００から延伸して、ビル内電力供給ワイヤとの接続部を形成する電力ケーブル１２２を含むことが可能である。電力供給システムのそのような実施の形態は、ここで検討される筐体の実施の形態の何れにも含めることが可能である。
【００４２】
電力供給システムの実施の形態は、ＡＣ電力をＤＣ電力に変換して、最終的には、電力を、筐体１００に格納されている各電子装置１０４に送る。
幾つかの実施の形態においては、電力供給システムは、タイマーまたは他の装置を含んでおり、随時の時間に、格納されている全部の電子装置１０４のサブセットを充電し、すべての電子装置１０４が実質的に完全に充電されるまで、サブセットを循環して充電可能である。そのようなタイマーまたは他のシステムは、電力供給システムの瞬間的な電力消費を制限するために有益である。
幾つかの実施の形態においては、電力供給システムは、ラック上に位置している補助コンセント１８０を含むことが可能であり、それにより、付属品のような他の装置のプラグを便利なように差し込み、ＡＣまたはＤＣ電力を提供することが可能である。
【００４３】
幾つかの実施の形態においては、電力供給システムは、図１５Ｃのブロック図に描かれているように、各格納されている電子装置１０４に電力を提供する複数のワイヤ１８４を有する複合電源１８２を含むことが可能である。
幾つかの実施の形態においては、図１５Ｄのブロック図に描かれているように、電力供給システムはそれぞれが、各格納されている電子装置１０４に電力を提供するワイヤ１８４を有する複数の個々の電源１８６を含むことが可能である。
個々の電源１８６を使用する幾つかの実施の形態においては、格納され、電力供給システムに接続される電子装置１０４の数を制限して、格納されている電子装置１０４により要求される全体の合計電力が、直接接続部からビル内電力供給ワイヤへ、または標準壁コンセントからの何れかで利用可能な容量を超えないようにすることが可能である。
【００４４】
図１６Ａ〜図１６Ｄのブロック図に描かれているように、ネットワーク接続システムを、インターネットおよび／またはローカルエリアネットワークのようなネットワークに、複数の電子装置１０４を接続するために設けることが可能である。ネットワーク接続システムのそのような実施の形態は、ここで検討される筐体１００の何れの実施の形態においても含めることが可能である。
幾つかの場合においては、ネットワーク接続システムは、筐体１００内、および／または前部区画１１４内に、電子装置１０４と共に収納される。
そのため、ネットワーク接続システムは、ユーザーには容易にはアクセスされない。
【００４５】
幾つかの実施の形態においては、図１６Ａ〜図１６Ｄのブロック図に描かれているように、ネットワーク接続システムは、格納されている電子装置１０４が、ネットワークと通信するための装置を含むことが可能である。
一般的に、この装置は、１つ以上の格納されている電子装置１０４、および／またはインターネット、および／またはローカルエリアネットワークと有線および／またはワイヤレス通信用に構成可能である。
幾つかの実施の形態においては、ネットワーク接続は、図１６Ａに描かれているように、筐体１００内の装置から延伸しているケーブル１８８を含むことが可能である。
幾つかの実施の形態においては、図１６Ｂに描かれているように、電子装置１０４がネットワークと通信することを可能にするワイヤレス受信器１９０を含むことが可能である。
幾つかの実施の形態においては、図１６Ｃと図１６Ｄのブロック図に描かれているように、ネットワーク接続システムは、複数の格納されている電子装置１０４と通信するために、筐体１００内に装置を含むことが可能である。
この装置から複数の格納されている電子装置１０４へのネットワーク接続は、各電子装置１０４への有線またはワイヤレス接続を含むことが可能である。
図１６Ｃに描かれているように、筐体１００内の装置は、各格納されている電子装置１０４への個々のワイヤ１９４を有する有線ルーター１９２である。
図１６Ｄに描かれているように、筐体１００内の装置は、複数の格納されている電子装置１０４へのワイヤレスネットワーク接続のためのワイヤレスルーター１９６である。
図１６Ａと１６Ｂを参照して前述したように、有線ルーター１９２および／またはワイヤレスルーター１９６のそれぞれは結果として、インターネットおよび／またはローカルエリアネットワークのようなネットワークとの有線および／またはワイヤレス通信用に構成可能である。
従って、ネットワーク接続装置１９０、１９２、および１９６何れの１つ以上は、Ｗｉ−Ｆｉ送信器、Ｗｉ−Ｆｉ受信器、Ｗｉ−Ｆｉトランシーバ、Ｗｉ−Ｆｉルーター、または他の類似の用語で称することも可能な、Ｗｉ−Ｆｉアクセスポイントとして構成可能である。
ワイヤレス送信器は、ネットワークへのワイヤレスアクセスを提供可能であり、ワイヤレスアクセスは、格納されている電子装置１０４、および送信器の作動半径内のユーザーにより使用されている電子装置により使用可能である。
もちろん、ユーザーの好み、電子装置の能力、および、市場で利用可能な、または使用されているワイヤレスプロトコルにより、Ｗｉ−Ｆｉ以外のワイヤレス技術もまた可能である。
【００４６】
このように、発明の幾つかの実施の形態が開示されている。発明は、ある開示された実施の形態を参照して、相当に詳細に記述されたが、開示された実施の形態は、説明の目的のために提示されたものであり、制限的なものではなく、発明の他の実施の形態も可能である。
当業者には、種々の変更、適応、および修正が、発明の精神と範囲を逸脱することなく可能であるということが認識されよう。
【図１】
2016519359.tif 000003
【図２】
2016519359.tif 000004
【図３】
2016519359.tif 000005
【図４】
2016519359.tif 000006
【図５】
2016519359.tif 000007
【図６】
2016519359.tif 000008
【図７】
2016519359.tif 000009
【図８】
2016519359.tif 000010
【図９】
2016519359.tif 000011
【図１０】
2016519359.tif 000012
【図１１】
2016519359.tif 000013
【図１２】
2016519359.tif 000014
【図１３】
2016519359.tif 000015
【図１４Ａ】
2016519359.tif 000016
【図１４Ｂ】
2016519359.tif 000017
【図１５Ａ】
2016519359.tif 000018
【図１５Ｂ】
2016519359.tif 000019
【図１５Ｃ】
2016519359.tif 000020
【図１５Ｄ】
2016519359.tif 000021
【図１６Ａ】
2016519359.tif 000022
【図１６Ｂ】
2016519359.tif 000023
【図１６Ｃ】
2016519359.tif 000024
【図１６Ｄ】
2016519359.tif 000025
【国際調査報告】
2016519359.tif 000026
2016519359.tif 000027